(57)【要約】【課題】ＩＰ網を流れる音声パケットから、モニタリング対象パケットを容易に抽出することを課題とする。【解決手段】ＩＰ網６上を流れる音声パケットをモニタリングするＶｏＩＰモニタリング装置１を含むＶｏＩＰモニタリングシステムにおいて、ＶｏＩＰモニタリング装置１は、モニタリング対象パケットに関するフィルタリング条件が、入力部７００を介して、予め設定されており、ＩＰ網６から音声パケットを取得すると、取得した音声パケットのうち、フィルタリング条件に合致する情報をリアルタイムに抽出することを特徴とする。【選択図】図２
2013005192.tif 000002
【特許請求の範囲】
【請求項１】
ＶｏＩＰに従って、音声パケットを送受信するネットワークにおいて、前記音声パケットをモニタリングするＶｏＩＰモニタリング装置を含むＶｏＩＰモニタリングシステムによるＶｏＩＰモニタリング方法であって、
前記ＶｏＩＰモニタリング装置は、
モニタリングの対象である音声パケットを特定する情報であるフィルタリング条件が、入力部を介して、予め設定されており、
前記ネットワークから前記音声パケットを取得すると、前記取得した音声パケットのうち、前記フィルタリング条件に合致する音声パケットをリアルタイムに抽出する
ことを特徴とするＶｏＩＰモニタリング方法。
【請求項２】
前記ＶｏＩＰモニタリング装置には、音声入力装置が接続されており、
前記ＶｏＩＰモニタリング装置は、
前記音声入力装置から、予め音声特性の分かっている音声信号が入力されており、
前記抽出した音声パケットを前記音声入力装置から入力された、予め音声特性の分かっている音声信号から変換した置換音声パケットに置換して、前記ネットワークへ送信する
ことを特徴とする請求項１に記載のＶｏＩＰモニタリング方法。
【請求項３】
前記ＶｏＩＰモニタリング装置には、音声出力装置が前記ネットワークを介して接続されており、
前記ＶｏＩＰモニタリング装置は、
前記ＶｏＩＰモニタリング装置において、前記置換された置換音声パケットを、前記ネットワークを介して前記音声出力装置へ送信し、
前記音声出力装置は、
前記送信された置換音声パケットから変換された音声信号を出力する
ことを特徴とする請求項２に記載のＶｏＩＰモニタリング方法。
【請求項４】
前記ネットワークを介して、前記ＶｏＩＰモニタリング装置には、音声入力装置が接続されており、
前記ＶｏＩＰモニタリング装置には、ＩＰ加入者装置を介して、音声出力装置が接続されており、
予め前記フィルタリング条件として、前記音声入力装置から送られる音声パケットを特定するため情報が設定されており、
前記音声入力装置は、
前記ＩＰ加入者収容装置を介して、予め音声特性が分かっている音声信号から変換された音声パケットを前記ネットワークへ送信し、
前記ＶｏＩＰモニタリング装置では、
前記ネットワークから取得した音声パケットのうち、前記フィルタリング条件に合致する音声パケットを抽出すると、
前記抽出した音声パケットを音声信号に変換し、
該変換した音声信号を前記音声出力装置に出力し、
前記音声出力装置は、
前記ＶｏＩＰモニタリング装置から出力された音声信号を外部へ出力する
ことを特徴とする請求項１に記載のＶｏＩＰモニタリング方法。
【請求項５】
前記音声入力装置は、複数接続されており、
前記ＶｏＩＰモニタリング装置は、
各音声入力装置から送信された音声パケットを、前記フィルタリング条件に従って抽出すると、前記抽出した音声パケットを、送信元の前記各音声入力装置毎に出力する
ことを特徴とする請求項４に記載のＶｏＩＰモニタリング方法。
【請求項６】
ＶｏＩＰに従って、音声パケットを送受信するネットワークにおいて、前記音声パケットをモニタリングするＶｏＩＰモニタリング装置であって、
モニタリングの対象である音声パケットを特定する情報であるフィルタリング条件が、入力部を介して、予め設定されており、
前記ネットワークから前記音声パケットを取得すると、前記取得した音声パケットのうち、前記フィルタリング条件に合致する音声パケットをリアルタイムに抽出するフィルタリング部
を有することを特徴とするＶｏＩＰモニタリング装置。
【請求項７】
前記ＶｏＩＰモニタリング装置には、音声入力装置が接続されており、
前記音声入力装置から、予め音声特性の分かっている音声信号が入力される音声信号入力部と、
前記抽出した音声パケットを前記音声入力装置から入力された、予め音声特性の分かっている音声信号から変換した置換音声パケットに置換して、前記ネットワークへ送信する処理部と、
を有することを特徴とする請求項６に記載のＶｏＩＰモニタリング装置。
【請求項８】
前記ネットワークを介して、前記ＶｏＩＰモニタリング装置には、音声入力装置が接続されており、
前記ＶｏＩＰモニタリング装置には、ＩＰ加入者装置を介して、音声出力装置が接続されており、
予め前記フィルタリング条件として、前記音声入力装置から送られる音声パケットを特定するための情報が設定されており、
前記フィルタリング部が、前記ＩＰ加入者収容装置を介して、前記ネットワークから取得した音声パケットのうち、前記フィルタリング条件に合致する音声パケットを抽出すると、前記抽出した音声パケットを音声信号に変換するＶｏＩＰ処理部と、
該変換した音声信号を前記音声出力装置に出力する音声信号出力部と、
を有することを特徴とする請求項６に記載のＶｏＩＰモニタリング装置。
【発明の詳細な説明】
【技術分野】
【０００１】
本発明は、ＶｏＩＰに従うネットワークを流れる音声パケットをモニタリングするＶｏＩＰモニタリング方法およびＶｏＩＰモニタリング装置の技術に関する。
【背景技術】
【０００２】
近年、ＶｏＩＰ（Voice over Internet Protocol）を利用したＩＰ電話網が広がりつつある。
ＶｏＩＰに使用されるＩＰ（Internet Protocol）網は、一般的に「ベストエフォート型」のネットワークである。つまり、ネットワークが空いていれば遅延無くパケットが送れるが、ネットワークが混雑すると少しずつしかパケットを流せず待ち合わせが生じたり、あるいはパケットが流せないといった状態となる。ＶｏＩＰは、この点が、ＰＳＴＮ（Public Switched Telephone Networks）回線交換を使って確実に相手までデータを届けられる電話のネットワークと大きく違う。ＩＰ網はパケットが届くまでの遅延時間が大きいうえ、パケットの到着時間がばらつく「ゆらぎ」といった現象が起こる。つまり、ＩＰ網にそのまま音声パケットを流すと、（１）遅延、（２）ゆらぎ、（３）パケット・ロスなどの劣化要因のため音声品質劣化などが生じる。
【０００３】
このようなＶｏＩＰにおけるＩＰ網の音声品質劣化要因究明のため、非特許文献１に記載の技術などが開示されている。非特許文献１に記載されている信号モニタツールなどは、音声品質劣化要因究明のデータ収集のため、ＩＰ網上を流れるＩＰパケットをキャプチャし、そのログを記録するものである。
【先行技術文献】
【非特許文献】
【０００４】
【非特許文献１】パケット・アナライザ・ソフト「Ｗｉｒｅｓｈａｒｋ」（登録商標）、[online]、［平成２３年５月２５日検索］、インターネット<http://ja.wikipedia.org/wiki/Wireshark>（解説）、<http://www.wireshark.org/>（公式ＨＰ）
【発明の概要】
【発明が解決しようとする課題】
【０００５】
前記したように、非特許文献１に記載されている信号モニタツールなどは、ＩＰ網上を流れるすべてのＩＰ信号をキャプチャして、そのログを記録するものである。そのため、一旦信号モニタツールに記録したログを保守者がモニタ対象の信号の抽出（フィルタリング）を手動で実施している。つまり、保守者がモニタリング対象となっている情報を手動で探している。これは、煩雑で時間のかかる作業である上、保守者が解析のスキルを有していることが必要である。
【０００６】
このような背景に鑑みて本発明がなされたのであり、本発明は、ＶｏＩＰに従うネットワークを流れる音声パケットから、モニタリング対象となっている音声パケットを容易に抽出することを課題とする。
【課題を解決するための手段】
【０００７】
本発明は、前記課題を解決するために創案されたものであり、請求項１に記載のＶｏＩＰモニタリング方法は、ＶｏＩＰに従って、音声パケットを送受信するネットワークにおいて、前記音声パケットをモニタリングするＶｏＩＰモニタリング装置を含むＶｏＩＰモニタリングシステムによるＶｏＩＰモニタリング方法であって、前記ＶｏＩＰモニタリング装置は、モニタリングの対象である音声パケットを特定する情報であるフィルタリング条件が、入力部を介して、予め設定されており、前記ネットワークから前記音声パケットを取得すると、前記取得した音声パケットのうち、前記フィルタリング条件に合致する音声パケットをリアルタイムに抽出することを特徴とする。
【０００８】
請求項１に係るＶｏＩＰモニタリング方法によれば、ＶｏＩＰに従うネットワークから抽出する音声パケットを特定するためのフィルタリング条件を予め設定しておき、このフィルタリング条件に合致する音声パケットをリアルタイムに抽出することによって、モニタリングの対象となっている音声パケットを容易にかつリアルタイムに抽出することができる。
【０００９】
また、請求項２に記載のＶｏＩＰモニタリング方法は、請求項１に係るＶｏＩＰモニタリング方法において、前記ＶｏＩＰモニタリング装置には、音声入力装置が接続されており、前記ＶｏＩＰモニタリング装置は、前記音声入力装置から、予め音声特性の分かっている音声信号が入力されており、前記抽出した音声パケットを前記音声入力装置から入力された、予め音声特性の分かっている音声信号から変換した置換音声パケットに置換して、前記ネットワークへ送信することを特徴とする。
【００１０】
請求項２に係るＶｏＩＰモニタリング方法によれば、ネットワークから抽出した音声パケットを、保守者にとって、試験やメンテナンスのための都合のよい音声パケットに、容易に置換することできる。
【００１１】
さらに、請求項３に記載のＶｏＩＰモニタリング方法は、請求項２に係るＶｏＩＰモニタリング方法において、前記ＶｏＩＰモニタリング装置には、音声出力装置が前記ネットワークを介して接続されており、前記ＶｏＩＰモニタリング装置は、前記ＶｏＩＰモニタリング装置において、前記置換された置換音声パケットを、前記ネットワークを介して前記音声出力装置へ送信し、前記音声出力装置は、前記送信された置換音声パケットから変換された音声信号を出力することを特徴とする。
【００１２】
請求項３に係るＶｏＩＰモニタリング方法によれば、抽出した音声パケットを、予め音声特性の分かっている音声信号から変換された置換音声パケットに置換した後、前記音声出力装置へ送信し、保守者は前記音声出力装置において出力された置換音声パケットと、ＶｏＩＰモニタリング装置に入力される置換音声パケットとを比較することによって、ネットワークにおける音声パケットの音質劣化品質などの評価を行うことが可能となる。
【００１３】
また、請求項４に記載のＶｏＩＰモニタリング方法は、請求項１に係るＶｏＩＰモニタリング方法において、前記ネットワークを介して、前記ＶｏＩＰモニタリング装置には、音声入力装置が接続されており、前記ＶｏＩＰモニタリング装置には、ＩＰ加入者装置を介して、音声出力装置が接続されており、予め前記フィルタリング条件として、前記音声入力装置から送られる音声パケットを特定するため情報が設定されており、前記音声入力装置は、前記ＩＰ加入者収容装置を介して、予め音声特性が分かっている音声信号から変換された音声パケットを前記ネットワークへ送信し、前記ＶｏＩＰモニタリング装置では、前記ネットワークから取得した音声パケットのうち、前記フィルタリング条件に合致する音声パケットを抽出すると、前記抽出した音声パケットを音声信号に変換し、該変換した音声信号を前記音声出力装置に出力し、前記音声出力装置は、前記ＶｏＩＰモニタリング装置から出力された音声信号を外部へ出力することを特徴とする。
【００１４】
請求項４に係るＶｏＩＰモニタリング方法によれば、予め音声特性の分かっている音声信号から変換された音声パケットを抽出し、音声信号として出力することによって、保守者は、音声入力装置から送信される音声信号の音声特性と、音声出力装置から出力される音声信号の音声特性とを比較することによって、ネットワークにおける音声パケットの音質劣化品質などの評価を行うことが可能となる。
【００１５】
請求項５に記載のＶｏＩＰモニタリング方法は、請求項４に係るＶｏＩＰモニタリング方法であって、前記音声入力装置は、複数接続されており、前記ＶｏＩＰモニタリング装置は、各音声入力装置から送信された音声パケットを、前記フィルタリング条件に従って抽出すると、前記抽出した音声パケットを、送信元の前記各音声入力装置毎に出力することを特徴とする。
【００１６】
請求項５に係るＶｏＩＰモニタリング方法によれば、複数の音声入力装置から送信された音声パケットを、個別にモニタリングすることができる。
【００１７】
また、請求項６に記載のＶｏＩＰモニタリング装置は、ＶｏＩＰに従って、音声パケットを送受信するネットワークにおいて、前記音声パケットをモニタリングするＶｏＩＰモニタリング装置であって、モニタリングの対象である音声パケットを特定する情報であるフィルタリング条件が、入力部を介して、予め設定されており、前記ネットワークから前記音声パケットを取得すると、前記取得した音声パケットのうち、前記フィルタリング条件に合致する音声パケットをリアルタイムに抽出するフィルタリング部を有することを特徴とする。
【００１８】
請求項６に係るＶｏＩＰモニタリング装置によれば、ＶｏＩＰに従うネットワークから抽出する音声パケットを特定するためのフィルタリング条件を予め設定しておき、このフィルタリング条件に合致する音声パケットをリアルタイムに抽出することによって、モニタリングの対象となっている音声パケットを容易にかつリアルタイムに抽出することができる。
【００１９】
そして、請求項７に記載のＶｏＩＰモニタリング装置は、請求項６に係るＶｏＩＰモニタリング装置であって、前記ＶｏＩＰモニタリング装置には、音声入力装置が接続されており、前記音声入力装置から、予め音声特性の分かっている音声信号が入力される音声信号入力部と、前記抽出した音声パケットを前記音声入力装置から入力された、予め音声特性の分かっている音声信号から変換した置換音声パケットに置換して、前記ネットワークへ送信する処理部と、を有することを特徴とする。
【００２０】
請求項７に係るＶｏＩＰモニタリング装置によれば、ネットワークから抽出した音声パケットを、保守者にとって都合のよい音声パケットに、容易に置換することができる。
【００２１】
また、請求項８に記載のＶｏＩＰモニタリング装置は、請求項６に係るＶｏＩＰモニタリング装置であって、前記ネットワークを介して、前記ＶｏＩＰモニタリング装置には、音声入力装置が接続されており、前記ＶｏＩＰモニタリング装置には、ＩＰ加入者装置を介して、音声出力装置が接続されており、予め前記フィルタリング条件として、前記音声入力装置から送られる音声パケットを特定するための情報が設定されており、前記フィルタリング部が、前記ＩＰ加入者収容装置を介して、前記ネットワークから取得した音声パケットのうち、前記フィルタリング条件に合致する音声パケットを抽出すると、前記抽出した音声パケットを音声信号に変換するＶｏＩＰ処理部と、該変換した音声信号を前記音声出力装置に出力する音声信号出力部と、を有することを特徴とする。
【００２２】
請求項８に係るＶｏＩＰモニタリング装置によれば、予め音声特性の分かっている音声信号から変換された音声パケットを抽出し、音声信号として出力することによって、保守者は、音声入力装置から送信される音声信号の音声特性と、音声出力装置から出力される音声信号の音声特性とを比較することによって、ネットワークにおける音声パケットの音質劣化品質などの評価を行うことが可能となる。
【発明の効果】
【００２３】
本発明によれば、ＶｏＩＰに従うネットワークを流れる音声パケットから、モニタリング対象となっている音声パケットを容易に抽出することができる。
【図面の簡単な説明】
【００２４】
【図１】本実施形態に係るＶｏＩＰモニタリングシステムの構成例を示す図である。
【図２】本実施形態に係るＶｏＩＰモニタリング装置の構成例を示す機能ブロック図である。
【図３】置換モードにおけるＶｏＩＰモニタリングシステムの構成例を示す図である。
【図４】置換モードにおける置換セッション設定の処理手順を示すフローチャートである。
【図５】置換モードにおけるＶｏＩＰモニタリング装置における処理手順を示すフローチャートである。
【図６】音声出力モニタモードにおけるＶｏＩＰモニタリングシステムの構成例を示す図である。
【図７】音声出力モニタモードにおけるモニタセッション設定の処理手順を示すフローチャートである。
【図８】音声出力モニタモードにおけるＶｏＩＰモニタリング装置における処理手順を示すフローチャートである。
【図９】本実施形態に係るＶｏＩＰモニタリング装置の別の実施形態の構成例を示す機能ブロック図である。
【発明を実施するための形態】
【００２５】
次に、本発明を実施するための形態（「実施形態」という）について、適宜図面を参照しながら詳細に説明する。なお、各図において、同様の構成要素については、同一の符号を付して、その説明を省略することとする。
【００２６】
［システム構成］
図１は、本実施形態に係るＶｏＩＰモニタリングシステムの構成例を示す図である。
図１において、ＩＰ電話機５はＶｏＩＰに従うＩＰ網（太線部分を含むネットワーク）６に直接接続しており、ＰＳＴＮ端末である一般加入電話機（以下、電話機４と称する）は、ＩＰ加入者収容装置２に格納されている加入者回路３を介してＩＰ網６に接続している。加入者回路３は、例えば、地域毎にＩＰ加入者収容装置２にまとめて収容されている。
【００２７】
本実施形態に係るＶｏＩＰモニタリングシステム１０は、ＩＰ網６と、ＩＰ加入者収容装置２との間にＶｏＩＰモニタリング装置１が接続されたものである。なお、本実施形態ではＩＰ網６とＩＰ加入者収容装置２との間にＶｏＩＰモニタリング装置１が接続されている形態を示しているが、ＩＰ網６とＩＰ電話機５との間にＶｏＩＰモニタリング装置１を接続してもよい。
【００２８】
［ＶｏＩＰモニタリング装置］
図２は、本実施形態に係るＶｏＩＰモニタリング装置の構成例を示す機能ブロック図である。
ＶｏＩＰモニタリング装置１は、ＩＰ網６を流れる情報である音声パケットの音質劣化品質をモニタリングする装置であり、ＩＰインタフェース処理部１００、ＶｏＩＰ処理部２００、音声信号出力部３００、音声信号入力部４００、データ出力処理部５００、制御部６００、入力部７００の各部を有している。
【００２９】
ＩＰインタフェース処理部１００は、ＶｏＩＰモニタリングシステム１０上を流れる音声パケットを取得し、この音声パケットをＩＰ網６や、ＩＰ加入者収容装置２へ送信したり、音声パケットのうち、モニタリングの対象となっている音声パケットであるモニタリング対象パケットをＶｏＩＰ処理部２００へ転送したりするものである。ＩＰインタフェース処理部１００は、ＩＰインタフェース部１０１、転送部１０２、フィルタリング部１０３、フレームバッファ部１０４を有している。
ＩＰインタフェース部１０１は、ＶｏＩＰモニタリングシステム１０上を流れる音声パケットを取得したり、ＩＰ網６や、ＩＰ加入者収容装置２へ音声パケットを送信したりする。
転送部１０２は、ＩＰインタフェース部１０１が取得した音声パケットをフレームバッファ部１０４へ転送するとともに、フィルタリング部１０３へコピー転送する。
フィルタリング部１０３は、転送部１０２からコピー転送された音声パケットのうち、モニタリング対象パケットをＶｏＩＰ処理部２００へ転送し、それ以外の音声パケットを破棄したり、後記する置換モードでは音声パケットをフレームバッファ部１０４へ転送する。
【００３０】
ＶｏＩＰ処理部２００は、ＩＰインタフェース処理部１００から転送されたモニタリング対象パケットからペイロードデータを抽出したり、このペイロードデータを音声信号へ変換したり、音声信号入力部４００から入力された音声信号を音声パケットへ変換するものである。ＶｏＩＰ処理部２００は、ヘッダ除去部２０１、ジッタバッファ部２０２、ＲＴＰ（Realtime Transport Protocol）パケット組立部２０３を有している。
ヘッダ除去部２０１は、ＩＰインタフェース処理部１００から転送された音声パケットのプロトコルヘッダを除去することによって、ペイロードデータを抽出する。
ジッタバッファ部２０２は、ヘッダ除去部２０１において抽出されたペイロードデータを音声信号へ変換する。この変換された音声信号は、音声信号出力部３００へ出力される。
ＲＴＰパケット組立部２０３は、音声信号入力部４００から入力された音声信号を音声パケットへ変換する。この変換された音声パケットは、ＩＰインタフェース処理部１００へ出力される。
【００３１】
音声信号出力部３００は、ＶｏＩＰ処理部２００において変換された音声信号を出力するものであり、スイッチ部３０１と、ＰＣＭ（Pulse Code Modulation）処理部３０２と、Ｄ／Ａ（Digital/Analog）変換部３０３とを有している。
スイッチ部３０１は、制御部６００の指示で音声信号をＰＣＭ処理部３０２へ転送するか、Ｄ／Ａ変換部３０３へ転送するかの切り換えを行う。
ＰＣＭ処理部３０２は、音声信号をＰＣＭ信号へ変換するものであり、ＰＣＭ出力信号（ＰＣＭ）を出力する。なお、図２に示すように、ＰＣＭ変換部３０２は、必要に応じて基本クロック（ＢＣＬＫ:Basic CLocK）、同期信号（ＳＹＮＣ:SYNCronous）を出力してもよいし、基本クロックや、同期信号を出力しなくてもよい。ＰＣＭ処理部３０２は、例えば、デジタル出力部（図示せず）として、図示しないデジタル音声用のレベルメータなどに接続される。
Ｄ／Ａ変換部３０３は、音声信号をアナログ出力（ＡＯＵＴ:Analog OUT）するためのアナログ変換を行う。Ｄ／Ａ変換部３０３は、アナログ出力部（図示せず）として、図示しないアナログ音声用のレベルメータなどに接続される。
【００３２】
音声信号入力部４００は、発信器７（図３）などの外部装置から入力された音声信号を、デジタル信号に変換するためのものであり、スイッチ部４０１と、ＰＣＭ処理部４０２と、Ａ／Ｄ（Analog/Digital）変換部４０３とを有している。
スイッチ部４０１は、ＶｏＩＰ処理部２００へ転送する音声信号が、ＰＣＭ処理部４０２からの音声信号か、Ａ／Ｄ変換部４０３からの音声信号かを切り換える。
ＰＣＭ処理部４０２は、外部装置から入力されたＰＣＭ入力信号（ＰＣＭ）を基にデジタル信号を生成する。なお、図２に示すように、ＰＣＭ処理部４０２は、ＰＣＭ入力信号に加え、必要に応じて基本クロック（ＢＣＬＫ）、同期信号（ＳＹＮＣ）を基にデジタル信号を生成してもよいし、基本クロックや、同期信号を出力しなくてもよい。
Ａ／Ｄ変換部４０３は、外部装置から入力されたアナログ音声信号（ＡＩＮ:Analog IN）をデジタル音声信号に変換する。
なお、本実施形態では、ＰＣＭ信号、アナログ音声信号を使用しているが、これに限らず、さらに圧縮した音声信号などを用いてもよい。
【００３３】
なお、本実施形態では、音声信号入力部４００に外部装置が接続され、その外部装置から音声信号が入力される形式としたが、これに限らず、音声信号入力部４００の代わりに記憶手段を備え、この記憶手段に予め記憶されている音声信号を、入力音声信号としてもよい。
【００３４】
データ出力処理部５００は、ＩＰ網６上で、どのようにデータが流れているのかを解析するためのデータを出力するものであり、フィルタリング部５０１、ヘッダ除去部５０２、ヘッダ情報抽出部５０３、ヘッダ情報記憶部５０４、データ変換部５０５を有している。
フィルタリング部５０１は、ＩＰインタフェース処理部１００から転送された音声パケットのうち、モニタリング対象パケットをヘッダ除去部５０２およびヘッダ情報抽出部５０３へ転送し、それ以外の音声パケットを破棄する。
ヘッダ除去部５０２は、フィルタリング部５０１から転送されたモニタリング対象パケットからプロトコルヘッダを除去して、ペイロードデータを抽出し、このペイロードデータをデータ変換部５０５へ転送する。
ヘッダ情報抽出部５０３は、ＩＰインタフェース部１０１から転送されたモニタリング対象パケットからペイロードデータを除去することによってプロトコルヘッダを抽出し、抽出したプロトコルヘッダをヘッダ情報記憶部５０４に格納する。
データ変換部５０５は、ヘッダ除去部２０１，５０２から転送されたペイロードデータに含まれる音声データや、制御データを出力する。ここで、音声データは、音声信号を０，１の２値で表現したデジタルデータであり、デジタルデータ本体（ＤＡＴＡ）とともに、図２に示すように、必要に応じて、ストローブ信号（ＳＴＢ:STRobe）や、フレーミング信号（ＦＲＭ:FRaMing）が出力されてもよいし、ストローブ信号や、フレーミング信号を出力しなくてもよい。また、制御データは、例えばＳＩＰ（Session Initiation Protocol）における「ＩＮＶＩＴＥ」などの制御データであり、データ本体（ＤＡＴＡ）とともに、図２に示すように、必要に応じて、ストローブ信号（ＳＴＢ）や、フレーミング信号（ＦＲＭ）が出力されてもよいし、ストローブ信号や、フレーミング信号を出力しなくてもよい。
【００３５】
制御部（処理部）６００は、各部１００〜５００を統括制御するものであり、入力部７００はモニタリング対象のセッションを設定する情報などが入力される。
なお、各部１００，１０２，１０３，１０４，２００，２０１〜２０３，３０２，３０３，４０２，４０３，５００，５０１〜５０３，５０５，６００は、ＲＯＭ（Read Only Memory）などに格納されたプログラムが、ＣＰＵ（Central Processing Unit）によって実行されることによって具現化する。
【００３６】
［置換モード］
次に、図３〜図５を参照して、本実施形態に係る置換モードを説明する。
置換モードとは、ＶｏＩＰモニタリング装置１に、音声特性の分かっている音声信号を入力し、電話機４や、ＩＰ電話機５の代わりに接続されているレベルメータ８で、その音声信号をモニタリングすることで、ＩＰ加入者収容装置２などＩＰ網６における音声品質評価を行うものである。
【００３７】
（システム構成）
図３は、置換モードにおけるＶｏＩＰモニタリングシステムの構成例を示す図である。
置換モードでは、ＶｏＩＰモニタリングシステム１０のＶｏＩＰモニタリング装置１の音声信号入力部４００に、音声特性が予め分かっている音声信号をＶｏＩＰモニタリング装置１へ入力する発信器（音声入力装置）７を接続し、ＩＰ加入者収容装置２に接続されている電話機４の１台を、音声特性を観測するためのレベルメータ（音声出力装置）８に置き換えるなどして、レベルメータ８が加入者回路３に接続されている。
レベルメータ８が接続している加入者回路３（ＩＰ加入者収容装置２）に向かって、ＩＰ網６側から送られた音声パケットはＶｏＩＰモニタリング装置１にて、発信器７から入力された音声信号（音声パケット）に置換され、ＩＰ加入者収容装置２へ送られる。そして、保守者は、レベルメータ８にて観測される音声特性と、発信器７から入力されている音声特性とを比較することによって、ＩＰ加入者収容装置２などＩＰ網６における音声品質評価を行う。
【００３８】
（置換セッション設定フローチャート）
次に、図２および図３を参照しつつ、図４および図５に沿って置換モードにおける処理を説明する。
図４は、置換モードにおける置換セッション設定の処理手順を示すフローチャートである。
保守者は、後記する音声出力モニタモードを実行する前に、図４に示す置換セッションの設定を行う。
まず、保守者は、入力部７００を介して置換セッション情報を入力する（Ｓ１０１）。置換セッション情報は、送信元ＩＰアドレス、送信先ＩＰアドレス（図３の例では、レベルメータ８が接続しているＩＰ加入者収容装置２のＩＰアドレス）、ＶｏＩＰモニタリング装置１における送信元ポート番号、送信先ポート番号などである。置換セッション情報は、各情報に関する数値に限らず、後記する図８のステップＳ４１６においてヘッダ情報記憶部５０４に格納されたＩＰ網６上を実際に流れている音声パケットの情報（プロトコルヘッダ）を利用することも可能である。
次に、保守者は、入力部７００を介して置換対象パケット情報を入力する（Ｓ１０２）。置換対象パケット情報は、置換対象となる音声パケット（置換対象パケット：モニタリング対象パケット）に関する情報であり、送信元ＭＡＣ（Media Access Control）アドレスや、送信間隔などである。
さらに、保守者は、入力部７００を介してＰＣＭ処理部４０２を介して入力された音声信号を用いるか、Ａ／Ｄ変換部４０３を介して入力された音声信号を用いるか、に関する情報である入力音声信号情報を入力する（Ｓ１０３）。
なお、ステップＳ１０１〜Ｓ１０３の処理は、上記順番である必要はない。例えば、保守者は置換対象パケット情報や、入力音声信号情報の入力後に、置換セッション情報を入力してもよい。
【００３９】
制御部６００は、入力された置換セッション情報や、置換対象パケット情報を、フィルタリング条件としてフィルタリング部１０３に設定する（Ｓ１０４）。設定は、図示しない記憶部などに情報が格納され、必要に応じてフィルタリング部１０３や、制御部６００などが記憶部に格納されている情報を参照することで行われる。
【００４０】
（置換モード処理フローチャート）
図５は、置換モードにおけるＶｏＩＰモニタリング装置における処理手順を示すフローチャートである。なお、図５および後記する図８のフローチャートにおける各処理は、各部１００〜５００が自律的に処理を行っている形式としているが、制御部６００が、各部１００〜５００に指示することによって行われる形式としてもよい。
まず、ＩＰインタフェース部１０１において音声パケットが取得される（Ｓ２０１）。
音声パケットを取得したＩＰインタフェース部１０１は、取得した音声パケットを転送部１０２へ転送する（Ｓ２０２）。
転送部１０２は、転送された音声パケットをフィルタリング部１０３へ転送する（Ｓ２０３）。
【００４１】
フィルタリング部１０３は、転送部１０２から転送された音声パケットが、置換対象パケット（すなわち、送信先がレベルメータ８のＩＰアドレスとなっている音声パケット）であるか否かを判定する（Ｓ２０４）。このとき、フィルタリング部１０３は、転送された音声パケットが、図４のステップＳ１０４で設定されたフィルタリング条件（置換セッション情報や、置換対象パケット情報）に適合しているか否かによってステップＳ２０４の判定を行う。
ステップＳ２０４の結果、置換対象パケットではない場合（Ｓ２０４→Ｎｏ）、フィルタリング部１０３は、該音声パケットを転送部１０２を介してフレームバッファ部１０４へ転送する（Ｓ２０５）。
フレームバッファ部１０４は、転送された音声パケットをＩＰ網６へ送信し（Ｓ２０６）、制御部６００はステップＳ２０１へ処理を戻す。
【００４２】
ステップＳ２０４の結果、置換対象パケットである場合（Ｓ２０４→Ｙｅｓ）、フィルタリング部１０３は、該音声パケットを破棄し（Ｓ２０７）、制御部６００へ置換対象パケットを破棄した旨を通知する。
通知を受けた制御部６００は、ＲＴＰパケット組立部２０３に、置換対象パケットが破棄された旨を通知すると、ＲＴＰパケット組立部２０３は、音声信号入力部４００から入力された音声信号を図４のステップＳ１０１で入力された置換セッション情報およびステップＳ１０２で入力された置換対象パケット情報を基に音声パケットに変換し、変換した音声パケットをフレームバッファ部１０４へ転送する。つまり、制御部６００は、ステップＳ２０７で破棄された音声パケットを、音声信号入力部４００から入力された音声信号を基に変換された音声パケットに置換する（Ｓ２０８）。
【００４３】
フレームバッファ部１０４は、転送された音声パケットをＩＰ網６へ送信し（Ｓ２０９）、制御部６００はステップＳ２０１へ処理を戻す。これにより、ＩＰ網６を介してレベルメータ８に向けて送信された音声パケットの音声は、予め分かっている音声信号入力部４００に接続された発信器７の音声に置換される。レベルメータ８は、送信された音声パケットから変換された音声信号を出力し、保守者は、予め分かっている発信器７の入力音声と、ＩＰ加入者収容装置２に接続されているレベルメータ８の表示などを比較することで、ＩＰ加入者収容装置２などＩＰ網６における音声パケットの音質劣化品質などを評価する。
【００４４】
なお、本実施形態では、電話機４をレベルメータ８で置き換えているが、ＩＰ網６のＩＰ電話機５側にレベルメータ８を接続してもよい。このとき、ステップＳ１０１で入力される置換セッション情報における送信先ＩＰアドレスは、接続されているレベルメータ８のＩＰアドレスとなる。
【００４５】
置換モードによれば、既知の音声信号を音声パケットとして、予め設定しているＶｏＩＰ端末（ＩＰ加入者収容装置２、ＩＰ電話機５）側へ送り、ＶｏＩＰ端末側に接続されているレベルメータ８にて、その音声パケットを取得し、音声信号として出力し、この音声信号による音声を解析することで、容易にＩＰ加入者収容装置２などＩＰ網６における音声パケットの音質劣化品質などの評価を行うことが可能となる上、ログの解析をするためのスキルを不要とすることができる。
【００４６】
［音声出力モニタモード］
次に、図６〜図８を参照して、本実施形態に係る音声出力モニタモードを説明する。
音声出力モニタモードとは、電話機４を発信器７に置き換えたり、ＩＰ電話機５側に発振器７を接続したりし、この発信器７がＩＰ網６へ音声特性の分かっている音声信号を送信し、ＶｏＩＰモニタリング装置１側で、その音声信号をモニタリングすることで、ＩＰ加入者収容装置２などＩＰ網６における音声品質評価を行うものである。
【００４７】
（システム構成）
図６は、音声出力モニタモードにおけるＶｏＩＰモニタリングシステムの構成例を示す図である。
音声出力モニタモードでは、図１に示すＶｏＩＰモニタリングシステム１０におけるＩＰ加入者収容装置２に接続されている電話機４の１台を、発信器（音声入力装置）７に置き換えるなどして、発振器７が加入者回路３に接続されている。このようにして、発振器７を、ＩＰ加入者収容装置２に接続し、ＶｏＩＰモニタリング装置１の音声信号出力部３００に、音声特性を観測するためのレベルメータ（音声出力装置）８が接続されている。
発信器７から加入者回路３ａ（ＩＰ加入者収容装置２）を介して、予め音声特性が分かっている音声信号から変換された音声パケットがＩＰ網６へ送信されると、この音声パケットはＶｏＩＰモニタリング装置１にてキャプチャされ、音声信号出力部３００に接続されているレベルメータ８に出力される。そして、保守者は、レベルメータ８にて観測される音声特性と、発信器７から入力されている音声特性とを比較することによって、ＩＰ加入者収容装置２などＩＰ網６における音声品質評価を行う。
【００４８】
（モニタセッション設定フローチャート）
図７は、音声出力モニタモードにおけるモニタセッション設定の処理手順を示すフローチャートである。
保守者は、音声出力モニタモードを実行する前に、図７に示すモニタセッションの設定を行う。
まず、保守者は、入力部７００を介して監視セッション情報を入力する（Ｓ３０１）。監視セッション情報は、送信元ＩＰアドレス（図６の例では、発信器７が接続しているＩＰ加入者収容装置２のＩＰアドレス）、送信先ＩＰアドレス、ＶｏＩＰモニタリング装置１における送信元ポート番号、送信先ポート番号、イーサネット（登録商標）ポート速度などである。監視セッション情報は、各情報に関する数値に限らず、後記する図８のステップＳ４１６でヘッダ情報記憶部５０４に格納された、ＩＰ網６上を実際に流れている音声パケットの情報（プロトコルヘッダ）を利用することも可能である。
【００４９】
次に、保守者は、入力部７００を介して監視対象パケット情報を入力する（Ｓ３０２）。監視対象パケット情報は、監視対象となる音声パケット（監視対象パケット：モニタリング対象パケット）に関する情報であり、送信元ＭＡＣアドレスや、送信間隔などである。
続いて、保守者は、入力部７００を介して出力設定情報を入力する（Ｓ３０３）。出力設定情報は、モニタ対象パケットから変換された音声信号の出力先に関する情報であり、モニタ音声信号の出力先（例えば、出力ポート）、出力する音声信号の形式（ＰＣＭ、アナログなど）である。ここで、モニタ対象パケットとは、音声出力モニタモードにおけるモニタリング対象パケットのことである。つまり、モニタリング対象パケットとは、モニタ対象パケットおよび置換モードにおける置換対象パケットの総称である。
なお、ステップＳ３０１〜Ｓ３０３の処理は、上記順番である必要はなく、保守者は出力設定情報や、監視対象パケット情報を入力後に、監視セッション情報を入力してもよい。
【００５０】
制御部６００は、入力された監視セッション情報や、監視対象パケット情報を、フィルタリング条件としてフィルタリング部１０３，５０１に設定する（Ｓ３０４）。設定は、図示しない記憶部などに格納され、必要に応じてフィルタリング部１０３や、制御部６００などが参照することで行われる。
【００５１】
（音声出力モニタモード処理フローチャート）
図８は、音声出力モニタモードにおけるＶｏＩＰモニタリング装置における処理手順を示すフローチャートである。
まず、ＩＰインタフェース部１０１が、音声パケットを取得する（Ｓ４０１）。
音声パケットを取得したＩＰインタフェース部１０１は、取得した音声パケットを転送部１０２へ転送する（Ｓ４０２）。
転送部１０２は、転送された音声パケットをフレームバッファ部１０４へ転送するとともに、フィルタリング部１０３へコピー転送する（Ｓ４０３）。なお、転送部１０２は、モニタ対象パケットのみをフィルタリング部１０３へ転送し、モニタ対象パケット以外の音声パケットをフレームバッファ部１０４へ転送するようにしてもよい。この場合、転送部１０２にも、フィルタリング条件が設定されていることが必要である。
フレームバッファ部１０４は、転送された音声パケットをＩＰ網６へ送信し（Ｓ４０４）、制御部６００はステップＳ４０１へ処理を戻す。
【００５２】
一方、フィルタリング部１０３は、転送部１０２からコピー転送された音声パケットが、モニタ対象パケット（すなわち、発信器７から送出された音声パケット）であるか否かを判定する（Ｓ４０５）。このとき、フィルタリング部１０３は、コピー転送された音声パケットが、図７のステップＳ３０４で設定されたフィルタリング条件（監視セッション情報や、監視対象パケット情報）に適合しているか否かによってステップＳ４０５の判定を行う。
ステップＳ４０５の結果、モニタ対象パケットではない場合（Ｓ４０５→Ｎｏ）、フィルタリング部１０３は、該音声パケットを破棄し（Ｓ４０６）、制御部６００はステップＳ４０１へ処理を戻す。
ステップＳ４０５の結果、モニタ対象パケットである場合（Ｓ４０５→Ｙｅｓ）、フィルタリング部１０３は、このモニタ対象パケットをヘッダ除去部２０１へ転送する。
【００５３】
ヘッダ除去部２０１は、モニタ対象パケットからプロトコルヘッダを除去し、ペイロードデータを抽出する（Ｓ４０７）。
ヘッダ除去部２０１は、抽出したペイロードデータをジッタバッファ部２０２へ転送する。ジッタバッファ部２０２は、転送されたペイロードデータの順序を正し、さらに、音声パケットの送信時と同一間隔でペイロードデータのゆらぎを吸収することでペイロードデータを音声信号へ変換する（Ｓ４０８）。
【００５４】
そして、音声信号出力部３００は、ジッタバッファ部２０２で変換された音声信号を出力する（Ｓ４０９）。このとき、図７のステップＳ３０３で入力された出力設定情報が「ＰＣＭ」であれば、音声信号はＰＣＭ処理部３０２によってＰＣＭ変換されて、ＰＣＭ出力される。図７のステップＳ３０３で入力された出力設定情報が「アナログ」であれば、Ｄ／Ａ変換部３０３によってアナログ変換された後、アナログ音声として出力される。音声信号は、音声信号出力部３００に接続されているレベルメータ８などに出力される。
保守者は、レベルメータ８は、音声信号出力部３００から出力された音声信号を音声特性のレベルとして出力し、予め分かっている発信器７の入力音声と、音声信号出力部３００から出力された音声（具体的にはレベルメータ８の表示など）とを比較することで、ＩＰ加入者収容装置２などＩＰ網６における音質劣化品質などを評価する。
【００５５】
また、ヘッダ除去部２０１は、モニタ対象パケットをジッタバッファ部２０２へ転送するとともに、データ出力処理部５００のデータ変換部５０５へ転送する。
データ変換部５０５は、モニタ対象パケットを２値、すなわち「０」、「１」の音声デジタルデータである音声データ（ＤＡＴＡ）として出力する（Ｓ４１０）。ここで、音声データは、ＩＰインタフェース処理部１００による音声パケットのキャプチャとほぼ同時に出力され、ステップＳ４１０で出力された音声データは、保守者によるＩＰ網６上を流れる音声パケットの解析などに使用される。音声データはＩＰインタフェース処理部１００による音声パケットのキャプチャとほぼ同時に出力されるため、保守者は音声データを解析することで、リアルタイムに音声パケットを解析することができる。
なお、音声デジタルデータとともに、必要に応じて、ストローブ信号（ＳＴＢ）や、制御データの開始を示すフレーミング信号（ＦＲＭ）が出力されてもよい。
【００５６】
一方、ＩＰインタフェース部１０１は、ステップＳ４０２で、取得した音声パケットを転送部１０２へ転送するとともに、データ出力処理部５００のフィルタリング部５０１へも音声パケットをコピー転送する。
フィルタリング部５０１は、コピー転送された音声パケットが、モニタ対象パケット（すなわち、発信器７から送出された音声パケット）であるか否かを判定する（Ｓ４１１）。フィルタリング部５０１は、コピー転送された音声パケットが、図７のステップＳ３０４で設定されたフィルタリング条件（監視セッション情報や、監視対象パケット情報）に適合しているか否かによってステップＳ４１１の判定を行う。
ステップＳ４１１の結果、モニタ対象パケットではない場合（Ｓ４１１→Ｎｏ）、フィルタリング部５０１は、該音声パケットを破棄し（Ｓ４１２）、制御部６００がステップＳ４０１へ処理を戻す。
ステップＳ４１１の結果、モニタ対象パケットである場合（Ｓ４１１→Ｙｅｓ）、フィルタリング部５０１は、モニタ対象パケットをヘッダ除去部５０２およびヘッダ情報抽出部５０３へ転送する。
【００５７】
ヘッダ除去部５０２は、フィルタリング部５０１から転送された音声パケットからプロトコルヘッダを除去することによって、ペイロードデータを抽出し（Ｓ４１３）、データ変換部５０５が、そのペイロードデータから、例えばＳＩＰにおける「ＩＮＶＩＴＥ」のような制御データを抽出し、その制御データを出力する（Ｓ４１４）。この制御データは、ＩＰ網６上を流れる音声パケットの解析などに用いられる。
このとき、制御データとともに、必要に応じて、ストローブ信号（ＳＴＢ）や、制御データの開始を示すフレーミング信号（ＦＲＭ）が出力されてもよい。制御データは、ＩＰインタフェース処理部１００による音声パケットのキャプチャと、ほぼ同時に出力されるので、保守者はリアルタイムに制御データを解析することができる。
【００５８】
一方、ヘッダ情報抽出部５０３は、ＩＰインタフェース部１０１から転送された音声パケット（モニタ対象パケット）からプロトコルヘッダを抽出し（Ｓ４１５）、抽出したプロトコルヘッダをヘッダ情報記憶部５０４へ格納する（Ｓ４１６）。抽出されたプロトコルヘッダは、保守者によるモニタリングに使用されたり、次回の置換モードにおける置換セッション情報や、置換対象パケット情報や、音声出力モニタモードにおける監視セッション情報や、監視対象パケット情報に利用されたりする。
【００５９】
なお、ここでは、ＰＳＴＮ端末である電話機４を発信器７で置き換えた例を示しているが、ＩＰ網６のＩＰ電話機５側に発信器７を接続してもよい。この場合、ステップＳ３０１で入力される監視セッション情報における送信元ＩＰアドレスは、発振器７のＩＰアドレスとなる。
【００６０】
音声出力モニタモードによれば、既知の音声信号が音声パケットとしてＶｏＩＰ端末（ＩＰ加入者収容装置２、ＩＰ電話機５）側からＶｏＩＰモニタリング装置１へ送られ、ＶｏＩＰモニタリング装置１は、その音声パケットを取得し、音声信号として出力し、この音声信号を解析することで、容易にＩＰ加入者収容装置２などＩＰ網６における音質劣化品質などの評価を行うことが可能となる上、ログの解析をするためのスキルを不要とすることができる。
【００６１】
［別の実施形態］
図９は、本実施形態に係るＶｏＩＰモニタリング装置の別の実施形態の構成例を示す機能ブロック図である。
図２に示すＶｏＩＰモニタリング装置１は、出力が１チャンネルに対応したものであるが、図９に示すＶｏＩＰモニタリング装置１Ａのように複数チャンネルに対応していてもよい。
図９では、音声信号出力部３００Ａが２チャンネルに対応しているＶｏＩＰモニタリング装置１Ａの例を示す。
音声信号出力部３００Ａが２チャンネルに対応するのに伴い、ＩＰインタフェース処理部１００Ａにおける転送部１０２ａ，１０２ｂ、フィルタリング部１０３ａ，１０３ｂおよびフレームバッファ部１０４ａ，１０４ｂ、ＶｏＩＰ処理部２００Ａにおけるヘッダ除去部２０１ａ，２０１ｂおよびジッタバッファ部２０２ａ，２０２ｂ、音声信号出力部３００におけるスイッチ部３０１ａ，３０１ｂ、ＰＣＭ処理部３０２ａ，３０２ｂ、Ｄ／Ａ変換部３０３ａ，３０３ｂが、出力チャンネルに対応している点以外は、図２と同様である。
ここで、各部１０２ａ，１０３ａ，１０４ａ，２０１ａ，２０２ａ，３０１ａ，３０２ａ，３０３ａが、例えばチャンネル１に対応し、各部１０２ｂ，１０３ｂ，１０４ｂ，２０１ｂ，２０２ｂ，３０１ｂ，３０２ｂ，３０３ｂが、例えばチャンネル２に対応する。つまり、音声信号出力部３００Ａからは各発信器７に対応した音声信号が出力される。
また、データ変換部５０５からも各チャンネル対応した音声データおよび制御データが出力される。
【００６２】
また、図９における各部１００Ａ，１０２ａ，１０２ｂ，１０３ａ，１０３ｂ，１０４ａ，１０４ｂ，２００Ａ，２０１ａ，２０１ｂ，２０２ａ，２０２ｂ，２０３，３０２ａ，３０２ｂ，３０３ａ，３０３ｂ，５００，５０１〜５０３，５０５，６００も、ＲＯＭなどに格納されたプログラムが、ＣＰＵによって実行されることによって具現化する。
【００６３】
このように、音声出力モニタモードにおいて、２チャンネルの音声出力を行う場合は、図６のＶｏＩＰモニタリングシステム１０において、２台の電話機４を発信器７に置き換えるなどして、各発振器７がそれぞれの加入者回路３に接続される。そして、保守者は、図７のモニタセッション設定において、それぞれの発信器７に関する設定を行う必要がある。つまり、保守者は各発信器７に対応したフィルタリング条件を設定する。
【００６４】
また、図９において、音声信号入力部４００から入力された音声信号は、ＲＴＰパケット組立部２０３を介して、２つのフレームバッファ部１０４ａ，１０４ｂへ出力されている。つまり、音声信号入力部４００から入力された音声信号を２チャンネルに出力するようになっているが、１つのフレームバッファ部１０４に出力するようにしてもよい。
【００６５】
また、図９では、２チャンネルに対応したＶｏＩＰモニタリング装置１Ａを示しているが、３チャンネル以上に対応してもよい。その場合、それぞれのチャンネルに対応した各部１０２，１０３，１０４，２０１，２０２，３０１，３０２，３０３が設置される。
【００６６】
なお、本実施形態では、音声出力装置としてレベルメータ８を使用しているが、これに限らず、スピーカから音声を出力する音声出力装置や、音声解析装置でもよい。
また、本実施形態では、ＶｏＩＰ網に適用されている例を示しているが、これ以外の情報を扱うネットワークに適用されてもよい。
【００６７】
［まとめ］
本実施形態によれば、予めフィルタリング条件を設定しておき、このフィルタリング条件に合致する音声パケットを抽出することにより、モニタリング対象パケットを容易に取得することができる。
また、本実施形態によれば、既知の音声信号を音声パケットとしてＶｏＩＰ端末（ＩＰ加入者収容装置２、ＩＰ電話機５）側へ送るか、ＶｏＩＰ端末側から送られた音声パケットから変換される音声信号による音声を解析することで、容易にＩＰ加入者収容装置２などＩＰ網６における音声パケットの音質劣化品質などの評価を行うことが可能となる上、ログの解析をするためのスキルを不要とすることができ、解析の効率を向上させることができる。
また、予めモニタ対象パケットを設定しておくことで、目的とする音声パケットのみを音声信号として再生することができる。
【符号の説明】
【００６８】
１，１Ａ  ＶｏＩＰモニタリング装置
２      ＩＰ加入者収容装置
３      加入者回路
４      電話機
５      ＩＰ電話機
６      ＩＰ網（ネットワーク）
７      発信器（音声入力装置）
８      レベルメータ（音声出力装置）
１０    ＶｏＩＰモニタリングシステム
１００，１００Ａ  ＩＰインタフェース処理部
１０１  ＩＰインタフェース部
１０２，１０２ａ，１０２ｂ  転送部
１０３，１０３ａ，１０３ｂ，５０１  フィルタリング部
１０４，１０４ａ，１０４ｂ  フレームバッファ部
２００，２００Ａ  ＶｏＩＰ処理部
２０１，２０１ａ，２０１ｂ，５０２  ヘッダ除去部
２０２，２０２ａ，２０２ｂ  ジッタバッファ部
２０３  ＲＴＰパケット組立部
３００，３００Ａ  音声信号出力部
３０１，３０１ａ，３０１ｂ，４０１  スイッチ部
３０２，３０２ａ，３０２ｂ，４０２  ＰＣＭ処理部
３０３，３０３ａ，３０３ｂ  Ｄ／Ａ変換部
４００  音声信号入力部
４０３  Ａ／Ｄ変換部
５００  データ出力処理部
５０３  ヘッダ情報抽出部
５０４  ヘッダ情報記憶部
５０５  データ変換部
６００  制御部（処理部）
７００  入力部
【図１】
2013005192.tif 000003
【図２】
2013005192.tif 000004
【図３】
2013005192.tif 000005
【図４】
2013005192.tif 000006
【図５】
2013005192.tif 000007
【図６】
2013005192.tif 000008
【図７】
2013005192.tif 000009
【図８】
2013005192.tif 000010
【図９】
2013005192.tif 000011